【手続補正書】
【提出日】平成19年1月22日(2007.1.22)
【手続補正１】
【補正対象書類名】明細書
【補正対象項目名】特許請求の範囲
【補正方法】変更
【補正の内容】
【特許請求の範囲】
【請求項１】  トナー像を形成する像形成手段と、
記録材を担持搬送する記録材搬送部材と、
該記録材搬送部材の表面に当接するクリーニングブレードを備える清掃手段と、
離型剤が塗布された定着部材を備える定着手段と、を有し、
前記定着手段による定着動作を受けた記録材に対し、トナー像転写面とは反対の面に、画像形成が可能な画像形成装置において、
前記記録材搬送部材に対する当接部に近接し、該当接部よりも記録材搬送部材搬送方向の上流側に面するクリーニングブレードのエッジ面が、重力方向に対して上または下を向くように、前記クリーニングブレードは配置され、
前記像形成手段が形成した、清掃手段への供給用トナー像を、前記記録材搬送部材の上に直接転写し、前記記録材搬送部材を搬送することで該記録材搬送部材上に転写された該供給用トナー像を前記清掃手段に供給するよう制御する制御手段、を備えることを特徴とする画像形成装置。
【請求項２】  トナー像を形成する像形成手段と、
該像形成手段が形成したトナー像を担持する中間転写体と、
該中間転写体上に担持されたトナー像を記録材に転写する転写手段と、
前記中間転写体の表面に当接するクリーニングブレードを備える清掃手段と、
離型剤が塗布された定着部材を備える定着手段と、を有し、
前記定着手段による定着動作を受けた記録材に対し、トナー像転写面とは反対の面に、画像形成が可能な画像形成装置において、
前記中間転写体に対する当接部に近接し、該当接部よりも中間転写体搬送方向の上流側に面するクリーニングブレードのエッジ面が、重力方向に対して上または下を向くように、前記クリーニングブレードは配置され、
前記像形成手段が形成した、清掃手段への供給用トナー像を、前記中間転写体に担持させ、前記中間転写体を搬送することで該担持させた供給用トナー像を前記清掃手段に供給するよう制御する制御手段、を備えることを特徴とする画像形成装置。
【請求項３】  トナー像を形成する像形成手段と、
該像形成手段が形成したトナー像を記録材に転写する転写部材と、
該転写部材の表面に当接するクリーニングブレードを備える清掃手段と、
離型剤が塗布された定着部材を備える定着手段と、を有し、
前記定着手段による定着動作を受けた記録材に対し、トナー像転写面とは反対の面に、画像形成が可能な画像形成装置において、
前記転写部材に対する当接部に近接し、該当接部よりも転写部材搬送方向の上流側に面するクリーニングブレードのエッジ面が、重力方向に対して上または下を向くように、前記クリーニングブレードは配置され、
前記像形成手段が形成した、清掃手段への供給用トナー像を、前記転写部材上に直接転写し、前記転写部材を搬送することで前記供給用トナー像を前記清掃手段に供給するよう制御する制御手段、を備えることを特徴とする画像形成装置。
【請求項４】  前記記録材搬送部材はベルト体であり、該ベルト体を掛けるローラ部材が設けられ、前記クリーニングブレードは、前記ベルト体が前記ローラ部材に掛かっている領域に当接することを特徴とする請求項１に記載の画像形成装置。
【請求項５】  前記中間転写体はベルト体であり、該ベルト体を掛けるローラ部材が設けられ、前記クリーニングブレードは、前記ベルト体が前記ローラ部材に掛かっている領域に当接することを特徴とする請求項２に記載の画像形成装置。
【請求項６】  前記ローラ部材は、駆動ローラであることを特徴とする請求項４又は５に記載の画像形成装置。
【請求項７】  記録材の搬送方向に対する直角方向の最大長さをｍ、前記供給用トナー像の記録材搬送方向に対する垂直方向の長さをｔ、前記クリーニングブレードの記録材搬送方向に対する垂直方向の長さをｂとした時、
ｍ≦ｔ≦ｂ  の関係を満たすことを特徴とする請求項１乃至６のいずれかに記載の画像形成装置。
【請求項８】  前記供給用トナー像の供給動作は、間欠的に行われることを特徴とする請求項１乃至７のいずれかに記載の画像形成装置。
【請求項９】  前記供給動作は、記録材への画像形成が所定枚数行われるごとに、行われることを特徴とする請求項８に記載の画像形成装置。
【請求項１０】  前記画像形成を、複数の記録材に対する画像形成を一連の動作として行う時、該一連の動作中に前記所定枚数に到達した場合、該一連の動作終了後に前記供給動作を行うことを特徴とする請求項９に記載の画像形成装置。
【請求項１１】  記録材への両面画像形成時よりも、記録材への片面画像形成時の方が、前記所定枚数の値が大きいことを特徴とする請求項９に記載の画像形成装置。
【請求項１２】  記録材への片面画像形成時、画像形成枚数が増加するに従い、前記所定枚数の値を増加させることでトナー供給間隔を広げていくことを特徴とする請求項９に記載の画像形成装置。
【請求項１３】  両面画像形成された記録材の枚数に応じて、これ以降の、記録材への片面画像形成時における前記所定枚数の値を決定することを特徴とする請求項９に記載の画像形成装置。
【請求項１４】  前記両面画像形成された記録材の枚数が多いほど、前記所定枚数の値が小さいことを特徴とする請求項１３に記載の画像形成装置。
【請求項１５】  片面画像形成枚数が増加するに従い、前記所定枚数の値を増加させることでトナー供給間隔を広げていくことを特徴とする請求項１４に記載の画像形成装置。
【請求項１６】  記録材への片面画像形成枚数が増加するに従い、前記供給動作１回あたりのトナー供給量を減らすことを特徴とする請求項９に記載の画像形成装置。
【請求項１７】  前記供給用トナー像の濃度を低下させることで、前記トナー供給量を減らすことを特徴とする請求項１６に記載の画像形成装置。
【請求項１８】  両面画像形成された記録材の枚数に応じて、これ以降の、記録材への片面画像形成時における前記供給動作１回あたりのトナー供給量を決定することを特徴とする請求項９に記載の画像形成装置。
【請求項１９】  前記両面画像形成された記録材の枚数が多いほど、前記トナー供給量を増やすことを特徴とする請求項１８に記載の画像形成装置。
【請求項２０】  片面画像形成枚数が増加するに従い、前記トナー供給量を減らしていくことを特徴とする請求項１９に記載の画像形成装置。
【請求項２１】  湿度を検知する湿度検知手段を有し、該湿度検知手段の検知結果に応じて、前記所定枚数の値を決定することを特徴とする請求項９に記載の画像形成装置。
【請求項２２】  前記検知結果が高湿であるほど、前記所定枚数の値が減少することを特徴とする請求項２１に記載の画像形成装置。
【手続補正２】
【補正対象書類名】明細書
【補正対象項目名】００１２
【補正方法】変更
【補正の内容】
【００１２】
【課題を解決するための手段】
上記目的は本発明に係る画像形成装置にて達成される。要約すれば、本発明は、トナー像を形成する像形成手段と、記録材を担持搬送する記録材搬送部材と、該記録材搬送部材の表面に当接するクリーニングブレードを備える清掃手段と、離型剤が塗布された定着部材を備える定着手段と、を有し、前記定着手段による定着動作を受けた記録材に対し、トナー像転写面とは反対の面に、画像形成が可能な画像形成装置において、前記記録材搬送部材に対する当接部に近接し、該当接部よりも記録材搬送部材搬送方向の上流側に面するクリーニングブレードのエッジ面が、重力方向に対して上または下を向くように、前記クリーニングブレードは配置され、前記像形成手段が形成した、清掃手段への供給用トナー像を、前記記録材搬送部材の上に直接転写し、前記記録材搬送部材を搬送することで該記録材搬送部材上に転写された該供給用トナー像を前記清掃手段に供給するよう制御する制御手段、を備えることを特徴とする画像形成装置である。
【手続補正３】
【補正対象書類名】明細書
【補正対象項目名】００１３
【補正方法】変更
【補正の内容】
【００１３】
本発明の他の態様によれば、トナー像を形成する像形成手段と、該像形成手段が形成したトナー像を担持する中間転写体と、該中間転写体上に担持されたトナー像を記録材に転写する転写手段と、前記中間転写体の表面に当接するクリーニングブレードを備える清掃手段と、離型剤が塗布された定着部材を備える定着手段と、を有し、前記定着手段による定着動作を受けた記録材に対し、トナー像転写面とは反対の面に、画像形成が可能な画像形成装置において、前記中間転写体に対する当接部に近接し、該当接部よりも中間転写体搬送方向の上流側に面するクリーニングブレードのエッジ面が、重力方向に対して上または下を向くように、前記クリーニングブレードは配置され、前記像形成手段が形成した、清掃手段への供給用トナー像を、前記中間転写体に担持させ、前記中間転写体を搬送することで該担持させた供給用トナー像を前記清掃手段に供給するよう制御する制御手段、を備えることを特徴とする画像形成装置が提供される。
【手続補正４】
【補正対象書類名】明細書
【補正対象項目名】００１４
【補正方法】変更
【補正の内容】
【００１４】
本発明の更に他の態様によれば、トナー像を形成する像形成手段と、該像形成手段が形成したトナー像を記録材に転写する転写部材と、該転写部材の表面に当接するクリーニングブレードを備える清掃手段と、離型剤が塗布された定着部材を備える定着手段と、を有し、前記定着手段による定着動作を受けた記録材に対し、トナー像転写面とは反対の面に、画像形成が可能な画像形成装置において、前記転写部材に対する当接部に近接し、該当接部よりも転写部材搬送方向の上流側に面するクリーニングブレードのエッジ面が、重力方向に対して上または下を向くように、前記クリーニングブレードは配置され、前記像形成手段が形成した、清掃手段への供給用トナー像を、前記転写部材上に直接転写し、前記転写部材を搬送することで前記供給用トナー像を前記清掃手段に供給するよう制御する制御手段、を備えることを特徴とする画像形成装置が提供される。